(57)【特許請求の範囲】
【請求項１】
少なくとも水素を含む燃料ガスを供給する燃料極、少なくとも酸素を含む酸化剤ガスを供給する酸化剤極、および電解質膜の両面に前記燃料極と前記酸化剤極を形成した膜電極接合体を有する燃料電池と、前記燃料極に少なくとも酸素を含むガスを供給する酸素供給手段とを備え、発電停止時に、前記酸化剤ガス中に含まれる不純物が付着した前記酸化剤極上の触媒活性低下領域に対向して位置する前記燃料極上の対向領域に前記酸素供給手段で少なくとも酸素を含むガスを供給し、前記燃料極上の前記対向領域から離れて位置する領域に前記燃料ガスを供給して、前記酸化剤極上の前記触媒活性低下領域の単セル電位を１Ｖ以上の高電位にして前記触媒活性低下領域の触媒作用を活性化する燃料電池発電システム。
【請求項２】
前記酸化剤極の酸化剤ガスを導入する酸化剤ガス入口側領域に燃料極の燃料ガスを排出する燃料ガス出口側領域を対向して位置するようにそれぞれの流路を配置し、前記燃料極の入口側から酸素供給手段で少なくとも酸素を含むガスを供給した後、前記燃料極の入口側から前記燃料ガスを供給する請求項１に記載の燃料電池発電システム。
【請求項３】
前記燃料極に電気化学的に不活性なガスを供給する不活性ガス供給手段を備え、前記燃料極の入口側から不活性ガス供給手段で不活性なガスを供給した後、前記燃料極の入口側から前記酸素供給手段で少なくとも酸素を含むガスを供給して、次いで前記燃料極の入口側から前記燃料ガスを供給する請求項１または２に記載の燃料電池発電システム。
【請求項４】
前記酸化剤極の酸化剤ガスを導入する酸化剤ガス入口側領域に燃料極の燃料ガスを排出する燃料ガス出口側領域を対向して位置するようにそれぞれの流路を配置する燃料電池において、前記燃料極の出口側から酸素供給手段で少なくとも酸素を含むガスを供給した後、前記燃料極の入口側から前記燃料ガスを供給して前記酸素供給手段で供給した酸素を前記燃料極の出口側から排出する請求項１に記載の燃料電池発電システム。
【請求項５】
前記酸化剤極の酸化剤ガスを導入する酸化剤ガス入口側領域に前記燃料極の燃料ガスを供給する燃料ガス入口側領域を対向して位置するようにそれぞれの流路を配置し、前記燃料極の出口側から入口側にガスを供給できる入口出口切替弁を備え、前記酸化剤極上の触媒活性低下領域の触媒作用を活性化するときだけ、前記入口出口切替弁を切り替え、前記燃料極の出口側から前記酸素供給手段で少なくとも酸素を含むガスを供給した後、前記燃料極の出口側から前記燃料ガスを供給する請求項１に記載の燃料電池発電システム。
【請求項６】
前記燃料極に電気化学的に不活性なガスを供給する不活性ガス供給手段を備え、前記燃料極の出口側から入口側にガスを供給できる入口出口切替弁を切り替え、前記燃料極の出口側から前記不活性ガス供給手段で不活性なガスを供給した後、前記燃料極の出口側から酸素供給手段で少なくとも酸素を含むガスを供給して、次いで前記燃料極の出口側から燃料ガスを供給する請求項１または５に記載の燃料電池発電システム。
【請求項７】
前記燃料極の入口側から前記酸素供給手段で少なくとも酸素を含むガスを供給した後、前記燃料極の出口側から入口側にガスを供給できる入口出口切替弁を切り替え、前記燃料極の出口側から燃料ガスを供給して前記酸素供給手段で供給した酸素を前記燃料極の入口側から排出する請求項１または５に記載の燃料電池発電システム。
【請求項８】
前記燃料電池の電圧を検出する電圧検出手段を備え、前記電圧検出手段で発電中の燃料電池の電圧が予め設定した閾値よりも一定期間小さいと判定した時、前記酸化剤極上の触媒活性低下領域の電位を高電位にして前記触媒活性低下領域の触媒作用を活性化する請求項１〜７のいずれか１項に記載の燃料電池発電システム。
【請求項９】
前記酸化剤ガス中に含まれる不純物の濃度を検出する不純物検出手段を備え、前記不純物検出手段で前記酸化剤ガス中に含まれる不純物の濃度が予め設定した閾値よりも一定期間大きいと判定した時、前記酸化剤極上の触媒活性低下領域の電位を高電位にして前記触媒活性低下領域の触媒作用を活性化する請求項１〜７のいずれか１項に記載の燃料電池発電システム。
【請求項１０】
発電中、前記燃料極に空気を供給するエアブリード手段を備え、触媒作用を活性化するときに使用する前記酸素供給手段は、前記エアブリード手段を用いる請求項１〜９のいずれか１項に記載の燃料電池発電システム。
【請求項１１】
前記燃料ガスを生成する燃料処理装置と、前記燃料ガスを生成する過程において発生する一酸化炭素を選択的に酸化するために前記燃料処理装置に空気を供給する選択酸化空気供給手段を備え、触媒作用を活性化するときに使用する酸素供給手段は、前記選択酸化空気供給手段を用いる請求項１〜９のいずれか１項に記載の燃料電池発電システム。
【請求項１２】
少なくとも水素を含む燃料ガスを供給する燃料極、少なくとも酸素を含む酸化剤ガスを供給する酸化剤極、および電解質膜の両面に前記燃料極と前記酸化剤極を形成した膜電極接合体を有する燃料電池と、前記燃料極に少なくとも酸素を含むガスを供給する酸素供給手段を備え、発電停止時に、前記燃料ガスと前記酸化剤ガスの内少なくとも前記酸化剤ガスの供給を停止して前記酸化剤極の単セル電位を発電中の電位以下にするステップと、起動時に、前記酸化剤ガス中に含まれる不純物が付着した前記酸化剤極上の触媒活性低下領域に対向して位置する前記燃料極上の対向領域に前記酸素供給手段で少なくとも酸素を含むガスを供給するステップと、次いで前記燃料極上の前記対向領域から離れて位置する領域に前記燃料ガスを供給して前記酸化剤極上の前記触媒活性低下領域の電位を１Ｖ以上の高電位にするステップを有し、前記触媒活性低下領域の触媒作用を活性化する燃料電池発電システムの運転方法。
【請求項１３】
前記燃料極に電気化学的に不活性なガスを供給する不活性ガス供給手段を備え、前記燃料極に前記不活性ガス供給手段で不活性なガスを供給した後、前記燃料極に酸素供給手段で少なくとも酸素を含むガスを供給するステップを有する請求項１２に記載の燃料電池発電システムの運転方法。
【請求項１４】
前記酸化剤極の酸化剤ガスを導入する酸化剤ガス入口側領域に前記燃料極の燃料ガスを供給する燃料ガス入口側領域を対向して位置するようにそれぞれの流路を配置し、前記燃料極の出口側から入口側にガスを供給できる入口出口切替弁を備え、前記酸化剤極上の触媒活性低下領域の触媒作用を活性化するときだけ前記入口出口切替弁を切り替えるステップを有する請求項１２または１３に記載の燃料電池発電システムの運転方法。
【請求項１５】
前記燃料電池の電圧を検出する電圧検出手段を備え、前記電圧検出手段で発電中の燃料電池の電圧の予め設定した閾値に対する大小を判定するステップを有する請求項１２〜１４のいずれか１項に記載の燃料電池発電システムの運転方法。
【請求項１６】
酸化剤ガス中に含まれる不純物の濃度を検出する不純物検出手段を備え、前記不純物検出手段で前記酸化剤ガス中に含まれる不純物の濃度の予め設定した閾値に対する大小を判定するステップを有する請求項１２〜１４のいずれか１項に記載の燃料電池発電システムの運転方法。
【発明の詳細な説明】
【技術分野】
【０００１】
本発明は、燃料電池を活性化し、発電効率および耐久性の向上を図った燃料電池発電システムおよびその運転方法に関するものである。
【背景技術】
【０００２】
従来の一般的な燃料電池発電システムは、図１３に示すように、電解質膜１０１の両面に燃料極１０２と酸化剤極１０３を形成した膜電極接合体１０４を有する燃料電池１０５を備え、少なくとも水素を含む燃料ガスを燃料極１０２に供給し、少なくとも酸素を含む酸化剤ガスを酸化剤極１０３に供給することにより発電していた。
【０００３】
一般的に酸化剤ガスには空気（大気）が用いられるが、空気中には様々な不純物が含まれている場合が多く、これらの不純物の中には酸化剤極１０３に付着して酸化剤極１０３の触媒活性を低下させ、発電に必要な化学反応を阻害して燃料電池１０５の出力を低下させる物質がある。
【０００４】
従来の燃料電池発電システムは、こうした酸化剤極１０３に付着した不純物を除去するために、例えば、発電する回路とは別に外部電源１０６を設け、発電停止時に不純物が付着した酸化剤極１０３が正極となるように燃料電池１０５に外部電源１０６を電気的に接続し、燃料電池１０５に電圧を印加して、一定期間、酸化剤極１０３の電位を自然電位より高い電位にすることにより、酸化剤極１０３に付着した不純物を酸化させ脱離させていた（例えば特許文献１参照）。
【特許文献１】特開２００７−２０７６６９号公報
【発明の開示】
【発明が解決しようとする課題】
【０００５】
しかしながら、上記従来の外部電源１０６を用いて酸化剤極１０３の電位を高電位にする方法では、酸化剤極１０３全体の電位が上がってしまうため、酸化剤極１０３の一部に付着した不純物を酸化させるだけでなく、酸化剤極１０３全体の触媒に含まれるカーボンまでも酸化させてしまうので、酸化剤極１０３が劣化し、燃料電池１０５の耐久性が低下してしまうという課題があった。
【０００６】
本発明は、上記従来の課題を解決するもので、燃料極に少なくとも酸素を含むガスを供給する酸素供給手段を備え、不純物が付着した酸化剤極上の触媒活性低下領域に対向して位置する燃料極上の対向領域に少なくとも酸素を含むガスを供給し、燃料極上の対向領域から離れて位置する領域に燃料ガスを供給して、酸化剤極上の触媒活性低下領域のみの電位を高電位にして触媒作用を活性化する、発電効率および耐久性に優れた燃料電池発電システムおよびその運転方法を提供することを目的とする。
【課題を解決するための手段】
【０００７】
上記従来の課題を解決するために本発明は、燃料極に少なくとも酸素を含むガスを供給する酸素供給手段を備え、不純物が付着した酸化剤極上の触媒活性低下領域に対向して位置する燃料極上の対向領域に少なくとも酸素を含むガスを供給し、燃料極上の対向領域から離れて位置する領域に燃料ガスを供給して、酸化剤極上の触媒活性低下領域の電位を高電位にして触媒活性低下領域の触媒作用を活性化するものである。
【発明の効果】
【０００８】
以上説明したように、本発明によれば、外部電源などの装置を必要とすることなく、酸化剤極の触媒活性低下領域のみの電位を高電位にすることができ、酸化剤極全体のカーボンを酸化させることなく、燃料電池を活性化することができるので、発電効率および耐久性に優れた燃料電池発電システムおよびその運転方法を提供することができる。
【発明を実施するための最良の形態】
【０００９】
第１の発明は、少なくとも水素を含む燃料ガスを供給する燃料極、少なくとも酸素を含む酸化剤ガスを供給する酸化剤極、および電解質膜の両面に前記燃料極と前記酸化剤極を形成した膜電極接合体を有する燃料電池と、前記燃料極に少なくとも酸素を含むガスを供給する酸素供給手段とを備え、発電停止時に、前記酸化剤ガス中に含まれる不純物が付着した前記酸化剤極上の触媒活性低下領域に対向して位置する前記燃料極上の対向領域に前記酸素供給手段で少なくとも酸素を含むガスを供給し、前記燃料極上の前記対向領域から離れて位置する領域に前記燃料ガスを供給して、前記酸化剤極上の前記触媒活性低下領域の単セル電位を１Ｖ以上の高電位にするものである。
【００１０】
この構成により、触媒活性低下領域の触媒作用を活性化することができ、燃料電池を活性化し、発電効率および耐久性に優れた燃料電池発電システムを得ることができる。
【００１１】
第２の発明は、第１の発明において、酸化剤極の酸化剤ガスを導入する酸化剤ガス入口側領域に燃料極の燃料ガスを排出する燃料ガス出口側領域を対向して位置するようにそれぞれの流路を配置し、燃料極の入口側から酸素供給手段で少なくとも酸素を含むガスを供給した後、燃料極の入口側から燃料ガスを供給するものである。
【００１２】
この構成により、酸化剤ガスに含まれる不純物が主に付着する酸化剤ガス入口領域（触媒活性低下領域）の触媒作用を活性化することができる。
【００１３】
第３の発明は、第１または第２の発明において、燃料極に電気化学的に不活性なガスを供給する不活性ガス供給手段を備え、燃料極の入口側から不活性ガス供給手段で不活性なガスを供給した後、燃料極の入口側から酸素供給手段で少なくとも酸素を含むガスを供給して、次いで燃料極の入口側から燃料ガスを供給するものである。
【００１４】
この構成により、酸素を含むガスを供給する前に燃料極に存在する水素を不活性なガスで置換してから、燃料極に酸素を供給するので、酸素を含むガスが供給されるときに水素と酸素が直接接触せず、燃料極の電位の上昇を抑えることができ、燃料極の触媒の溶解やカーボンの酸化などの劣化を抑制することができる。
【００１５】
第４の発明は、第１の発明において、酸化剤極の酸化剤ガスを導入する酸化剤ガス入口側領域に燃料極の燃料ガスを排出する燃料ガス出口側領域を対向して位置するようにそれぞれの流路を配置する燃料電池において、燃料極の出口側から酸素供給手段で少なくとも酸素を含むガスを供給した後、燃料極の入口側から燃料ガスを供給して酸素供給手段で供給した酸素を前記燃料極の出口側から排出するものである。
【００１６】
この構成により、燃料極に酸素を含むガスを供給するときに酸化剤極の酸化剤ガスを排出する酸化剤ガス出口側領域の電位の上昇を抑えることができ、酸化剤極の酸化剤ガス出口側領域のカーボンの酸化を防止することができる。
【００１７】
第５の発明は、第１の発明において、酸化剤極の酸化剤ガスを導入する酸化剤ガス入口側領域に燃料極の燃料ガスを供給する燃料ガス入口側領域を対向して位置するようにそれぞれの流路を配置し、燃料極の出口側から入口側にガスを供給できる入口出口切替弁を備え、酸化剤極上の触媒活性低下領域の触媒作用を活性化するときだけ、入口出口切替弁を切り替え、燃料極の出口側から酸素供給手段で少なくとも酸素を含むガスを供給した後、燃料極の出口側から燃料ガスを供給するものである。
【００１８】
この構成により、酸化剤極が酸化剤ガスに含まれる不純物による影響を受けていない間は、発電性能に適したガス流路に燃料ガスおよび酸化剤ガスをそれぞれ供給することができ、発電性能に優れた燃料電池発電システムを得ることができる。
【００１９】
第６の発明は、第１または第５の発明において、燃料極に電気化学的に不活性なガスを供給する不活性ガス供給手段を備え、燃料極の出口側から入口側にガスを供給できる入口出口切替弁を切り替え、燃料極の出口側から不活性ガス供給手段で不活性なガスを供給した後、燃料極の出口側から酸素供給手段で少なくとも酸素を含むガスを供給して、次いで燃料極の出口側から燃料ガスを供給するものである。
【００２０】
この構成により、酸素を含むガスを供給する前に燃料極に存在する水素を不活性なガスで置換してから酸素を供給するので、酸素を含むガスが供給されるときに水素と酸素が直接接触せず、燃料極の電位の上昇を抑えることができ、燃料極の触媒の溶解やカーボンの酸化などの劣化を抑制することができる。
【００２１】
第７の発明は、第１または第５の発明において、燃料極の入口側から酸素供給手段で少なくとも酸素を含むガスを供給した後、燃料極の出口側から入口側にガスを供給できる入口出口切替弁を切り替え、燃料極の出口側から燃料ガスを供給して酸素供給手段で供給した酸素を燃料極の入口側から排出するものである。
【００２２】
この構成により、酸素供給手段で燃料極の入口側（対向領域）に供給される酸素が酸化剤極の出口側に対向して位置する燃料極の出口側（対向領域から離れて位置する領域）を通過しないので、酸化剤ガス出口側領域の電位の上昇を抑えることができ、酸化剤極の酸化剤ガス出口側領域のカーボンの酸化を防止することができる。
【００２３】
第８の発明は、第１〜第７のいずれかの発明において、燃料電池の電圧を検出する電圧検出手段を備え、電圧検出手段で発電中の燃料電池の電圧が予め設定した閾値よりも一定期間小さいと判定した時、酸化剤極上の触媒活性低下領域の電位を高電位にするものである。
【００２４】
この構成により、触媒活性低下領域の触媒作用を活性化し、酸化剤極の電位を高電位にする回数を必要最小限に留めることができ、酸化剤極に含まれるカーボンの酸化が抑制されるので、耐久性に優れた燃料電池発電システムを得ることができる。
【００２５】
第９の発明は、第１〜第７のいずれかの発明において、酸化剤ガス中に含まれる不純物の濃度を検出する不純物検出手段を備え、不純物検出手段で酸化剤ガス中に含まれる不純物の濃度が予め設定した閾値よりも一定期間大きいと判定した時、酸化剤極上の触媒活性低下領域の電位を高電位にするものである。
【００２６】
この構成により、触媒活性低下領域の触媒作用を活性化し、酸化剤極の電位を高電位にする回数を必要最小限に留めることができ、酸化剤極に含まれるカーボンの酸化が抑制されるので、耐久性に優れた燃料電池発電システムを得ることができる。
【００２７】
第１０の発明は、第１〜第９のいずれかの発明において、発電中、燃料極に空気を供給するエアブリード手段を備え、触媒作用を活性化するときに使用する酸素供給手段として、エアブリード手段を用いるものである。
【００２８】
この構成により、触媒作用を活性化させるために新たに、ブロワやポンプなどの供給装置、配管およびフィルターなどを設ける必要がなく、発電中に用いるエアブリード手段をそのまま利用することができ、システムが簡素化され、低コスト化を図ることができる。
【００２９】
第１１の発明は、第１〜第９のいずれかの発明において、燃料ガスを生成する燃料処理装置と、燃料ガスを生成する過程において発生する一酸化炭素を選択的に酸化するために燃料処理装置に空気を供給する選択酸化空気供給手段を備え、触媒作用を活性化するときに使用する酸素供給手段として選択酸化空気供給手段を用いるものである。
【００３０】
この構成により、触媒作用を活性化させるために新たに、ブロワやポンプなどの供給装置、配管およびフィルターなどを設ける必要がなく、発電中に用いるエアブリード手段をそのまま利用することができ、システムが簡素化され、低コスト化を図ることができる。
【００３１】
第１２の発明は、少なくとも水素を含む燃料ガスを供給する燃料極、少なくとも酸素を含む酸化剤ガスを供給する酸化剤極、および電解質膜の両面に燃料極と酸化剤極を形成した膜電極接合体を有する燃料電池と、燃料極に少なくとも酸素を含むガスを供給する酸素供給手段を備え、発電停止時に、燃料ガスと前記酸化剤ガスの内少なくとも酸化剤ガスの供給を停止して酸化剤極の単セル電位を発電中の電位以下にするステップと、起動時に、酸化剤ガス中に含まれる不純物が付着した酸化剤極上の触媒活性低下領域に対向して位置する燃料極上の対向領域に酸素供給手段で少なくとも酸素を含むガスを供給するステップと、次いで燃料極上の対向領域から離れて位置する領域に燃料ガスを供給して酸化剤極上の触媒活性低下領域の電位を１Ｖ以上の高電位にするステップを有するものである。
【００３２】
この構成により、触媒活性低下領域の触媒作用を活性化し、発電停止時は燃料極および酸化剤極の電位をそれぞれ低電位に保持して、燃料極および酸化剤極の劣化を抑制し、発電直前のみ燃料極に酸素を供給して酸化剤極の触媒活性低下領域の電位を上昇させて、酸化剤極の触媒を活性化するので、燃料極および酸化剤極の活性を長期間高く保持することができ、耐久性に優れた燃料電池発電システムを与える燃料電池発電システムの運転方法を得ることができる。
【００３３】
第１３の発明は、第１２の発明において、燃料極に電気化学的に不活性なガスを供給する不活性ガス供給手段を備え、燃料極に不活性ガス供給手段で不活性なガスを供給した後、燃料極に酸素供給手段で少なくとも酸素を含むガスを供給するステップを有するものである。
【００３４】
この構成により、酸素を含むガスを供給する前に燃料極に存在する水素を不活性なガスで置換してから酸素を供給するので、酸素を含むガスが供給されるときに水素と酸素が接触せず、燃料極の電位の上昇を抑えることができ、燃料極の触媒の溶解やカーボンの酸化などの劣化を抑制することができる。
【００３５】
第１４の発明は、第１２または１３の発明において、酸化剤極の酸化剤ガスを導入する酸化剤ガス入口側領域に燃料極の燃料ガスを供給する燃料ガス入口側領域を対向して位置するようにそれぞれの流路を配置し、燃料極の出口側から入口側にガスを供給できる入口出口切替弁を備え、酸化剤極上の触媒活性低下領域の触媒作用を活性化するときだけ入口出口切替弁を切り替えるステップを有するものである。
【００３６】
この構成により、入口出口切替弁を切り替えて燃料極の出口側から酸素供給手段で少なくとも酸素を含むガスを供給した後、燃料極の出口側から前記燃料ガスを供給することにより、酸化剤極が酸化剤ガスに含まれる不純物による影響を受けていない間は、発電性能に適したガス流路に燃料ガスおよび酸化剤ガスを供給することができ、発電性能に優れた燃料電池発電システムを得ることができる。
【００３７】
第１５の発明は、第１２〜第１４のいずれかの発明において、燃料電池の電圧を検出する電圧検出手段を備え、電圧検出手段で発電中の燃料電池の電圧の予め設定した閾値に対する大小を判定するステップを有するものである。
【００３８】
この構成により、酸化剤極の電位を高電位にする回数を必要最小限に留めることができ、酸化剤極に含まれるカーボンの酸化が抑制されるので、耐久性に優れた燃料電池発電システムを得ることができる。
【００３９】
第１６の発明は、第１２〜第１４のいずれかの発明において、酸化剤ガス中に含まれる不純物の濃度を検出する不純物検出手段を備え、不純物検出手段で酸化剤ガス中に含まれる不純物の濃度の予め設定した閾値に対する大小を判定するステップを有するものである。
【００４０】
この構成により、酸化剤極の電位を高電位にする回数を必要最小限に留めることができ、酸化剤極に含まれるカーボンの酸化が抑制されるので、耐久性に優れた燃料電池発電システムを得ることができる。
【００４１】
以下本発明の実施例について、図面を参照しながら説明する。
（実施の形態１）
図１は、本発明の実施の形態１の燃料電池発電システムの概略構成図を示すものである。
【００４２】
本発明の実施の形態１の燃料電池発電システムは、水素イオン伝導性を有するパーフルオロカーボンスルフォン酸ポリマーからなる固体高分子電解質膜１の両面に燃料極２と酸化剤極３を形成した膜電極接合体４を有する燃料電池５を備え、少なくとも水素を含む燃料ガスを燃料極２に、少なくとも酸素を含む酸化剤ガスを酸化剤極３に供給することにより発電することができる。
【００４３】
燃料極２および酸化剤極３は、耐酸化性の高い多孔質カーボンに白金などの貴金属を担持した触媒および水素イオン伝導性を有する高分子電解質との混合物からなる触媒層と、触媒層の上に積層した通気性および電子伝導性を有するガス拡散層からなる。燃料極２には、耐ＣＯ性を有する白金−ルテニウムなどの合金触媒を用いた。また、ガス拡散層には撥水処理を施したカーボンペーパーあるいはカーボンクロスを用いた。
【００４４】
電解質膜１の両面に燃料極２と酸化剤極３を形成した膜電極接合体４の周囲にはガスの混合やリークを防止するため、一対のガスケットを配置し、燃料極２および酸化剤極３にそれぞれ燃料ガスおよび酸化剤ガスを供給排出するガス流路を有するカーボン製の導電性の一対のセパレータ板７１，７２で挟持して、単セルを構成した。
【００４５】
セパレータ板７１，７２に形成した燃料ガスおよび酸化剤ガスの流路の概略構成図を図２に示す。実線は燃料極２側の燃料ガスを流す径路を示し、点線は対向する酸化剤極３側の酸化剤ガスを流す径路を示している。図２に示すように、酸化剤ガスを導入する酸化剤極３の酸化剤ガス入口側領域３１に燃料ガスを排出する燃料極２の燃料ガス出口側領域２２が対向して位置するように配置した。
【００４６】
さらに、複数の単セルを積層して、両端に集電板、絶縁板および端板を配置し、締結ロッドで強固に締結してスタックを構成した。各セルの間には冷却水を供給排出する流路を設け、スタックの外部への放熱を防止し、安定した温度を保持するため、周囲に断熱材を配置した。
【００４７】
上記構成の燃料電池５に、燃料ガスを供給する燃料処理装置８と、酸化剤ガスを供給する酸化剤ガス供給手段９を接続し、燃料電池発電システムを構成した。
【００４８】
燃料処理装置８は、メタンなどの炭化水素を含む都市ガスなどの原料ガスを改質して水素を含む燃料ガスを供給し、付臭剤などに含まれる硫黄化合物を吸着除去する脱硫部８１と、メタンなどの炭化水素を含む原料ガスを改質する改質部８２と、改質反応で発生する一酸化炭素（ＣＯ）を変成するＣＯ変成部８３と、さらにＣＯを選択的に酸化除去するＣＯ除去部８４で構成される。
【００４９】
原料ガスは、まず脱硫部８１で脱硫された後、改質部８２で改質されて水素を含む燃料ガスとなる。原料ガスにメタンを用いた場合、改質部８２では、水蒸気を伴って（化１）で示した反応が起こり、燃料ガスである水素とともに約１０％のＣＯが発生する。
【００５０】
【化１】
0005071254.tif 000002
【００５１】
燃料電池５の運転温度域において燃料極２に含まれる白金触媒はわずかなＣＯでも被毒し、その触媒活性が低下するため、改質部８２で発生したＣＯは（化２）で示すようにＣＯ変成部８３で二酸化炭素に変成され、その濃度は約５０００ｐｐｍまで減少する。下流側のＣＯ除去部８４ではＣＯだけでなく、燃料ガスの水素まで酸化されてしまうので、このＣＯ変成部８３においてできるだけＣＯ濃度を低下させる必要がある。
【００５２】
【化２】
0005071254.tif 000003
【００５３】
さらに残ったＣＯは（化３）で示すようにＣＯ除去部８４において選択酸化空気供給手段８５で大気中から取り込んだ空気によって選択的に酸化され、その濃度は燃料極２の触媒活性の低下を抑制できる約１０ｐｐｍ以下までに減少する。
【００５４】
【化３】
0005071254.tif 000004
【００５５】
全反応式を（化４）に示す。
【００５６】
【化４】
0005071254.tif 000005
【００５７】
また、燃料極２の手前に発電中燃料極２に空気を供給するエアブリード手段１０を設け、燃料処理装置８で生成した燃料ガスに１〜２％程度の空気を混合し、わずかに残るＣＯの影響をさらに軽減させる構成とした。
【００５８】
酸化剤ガス供給手段９は、酸化剤ガスを取り込むブロワ９１と、酸化剤ガス中の不純物を除去する不純物除去手段９２と、酸化剤ガスを加湿する加湿器９３で構成され、燃料電池５の酸化剤極３に加湿した酸化剤ガスを供給する。酸化剤ガスとは、少なくとも酸素を含む（あるいは酸素を供給することのできる）ガスの総称であり、例えば、大気（空気）が挙げられる。
【００５９】
ここで、上記構成の燃料電池５の動作について説明する。燃料極２および酸化剤極３にそれぞれ燃料ガスおよび酸化剤ガスを供給して負荷を接続すると、燃料極２に供給された燃料ガス中に含まれる水素は反応式（化５）で示すように燃料極２の触媒層と電解質の界面で電子を放って水素イオンとなる。
【００６０】
【化５】
0005071254.tif 000006
【００６１】
水素イオンは電解質膜１を通って酸化剤極３へと移動し、酸化剤極３の触媒層と電解質の界面で電子を受け取り、酸化剤極３に供給された酸化剤ガス中に含まれる酸素と反応し、水を生成する。この反応式は（化６）のようになる。
【００６２】
【化６】
0005071254.tif 000007
【００６３】
全反応を（化７）に示す。
【００６４】
【化７】
0005071254.tif 000008
【００６５】
このとき負荷を流れる電子の流れを直流の電気エネルギーとして利用でき、また、一連の反応は発熱反応であるため、反応熱を熱エネルギーとして利用できる。
【００６６】
ところで、大気中には様々な不純物が含まれている場合が多く、例えば、火山や燃焼排ガスなどに含まれている二酸化硫黄などの硫黄化合物や、工場や自動車の燃焼排ガスなどに多く含まれている窒素酸化物、あるいは悪臭成分であるアンモニアなどが含まれている。
【００６７】
これらの不純物は燃料電池５に悪影響を及ぼし、酸化剤ガスに混入して酸化剤極３に到達した場合、酸化剤極３に含まれる触媒に付着（吸着）して発電に必要な化学反応を阻害するため、燃料電池５の出力が低下することがある。
【００６８】
また、前記不純物は、酸化剤ガスとともに酸化剤極３の入口側から侵入するため、酸化剤ガス入口側領域３１（触媒活性低下領域）に付着し、主に酸化剤極３の上流における発電に必要な化学反応を阻害する。
【００６９】
ただし、酸化剤極３の電極電位を発電中の電位より上げてやると、前記不純物の酸化反応を促進させることができ、水や空気と反応させることにより、酸化剤極３に付着した不純物を酸化剤極３から脱離させやすくすることができる。
【００７０】
本発明では、酸化剤極３全体の電位を上げるのではなく、触媒活性低下領域３１のみの電位を上げ、酸化剤ガス入口側領域３１（触媒活性低下領域）に付着した不純物を除去するため、酸素供給手段を設け、発電直前に燃料極２に酸素を供給する構成とした。
【００７１】
本発明の実施の形態１の酸素供給手段には、図１に示すように、発電中、燃料極２に空気を供給するエアブリード手段１０をそのまま用いた。
【００７２】
エアブリード手段１０を用いることにより、触媒作用を活性化させるために新たに、ブロワやポンプなどの供給装置、配管およびフィルターなどを設ける必要がなくなり、システムが簡素化され、低コスト化を図ることができる。
【００７３】
次に、酸化剤ガス入口側領域３１（触媒活性低下領域）を活性化する動作について図２を用いて説明する。触媒の活性化は燃料電池５の起動時（発電前）に行う。起動時、通常発電では燃料極２側に燃料ガス（水素）、酸化剤極３側に酸化剤ガス（酸素または空気）を供給する。
【００７４】
このとき水素が保持されている燃料極２の電極電位を０Ｖとした場合、酸素が保持されている酸化剤極３の電極電位は０．９〜１．２３Ｖとなる。
【００７５】
ところが、触媒の活性化を行うために、燃料極２側に燃料ガスを供給する前に、酸素（または空気）を供給し、酸素（または空気）の供給に続いて燃料極２に燃料ガスである水素を供給すると、酸化剤極の入口側で酸化剤ガスに含まれる不純物が付着（吸着）している酸化剤ガス入口側領域３１に対向する燃料極２の燃料ガス出口側領域２２（対向領域）には酸素が、燃料極２の上流の対向領域から離れて位置する燃料ガス入口側領域２１（非対向領域）１には水素がある状態となる。
【００７６】
この瞬間、燃料極２の面内で燃料ガス出口側領域２２（対向領域）の電位が、対向領域から離れて位置する燃料ガス入口側領域２１（非対向領域）の電位より０．５〜１．２３Ｖ高くなる現象が生じる。このとき対向する酸化剤極３には酸化剤ガスとして酸素（または空気）が供給されており、燃料極２の上流で水素が保持されている対向領域から離れて位置する燃料ガス入口側領域２１（非対向領域）に対向している酸化剤極３の下流の酸化剤ガス出口側領域３２の電位は０．９〜１．２３Ｖであるが、燃料極２の下流で酸素が保持されている燃料ガス出口側領域２２（対向領域）に対向する酸化剤ガス入口側領域３１（触媒活性低下領域）の電位は１〜２Ｖぐらいまで上昇する。
【００７７】
したがって、酸化剤ガス入口側領域３１（触媒活性低下領域）に付着していた不純物は酸化され、酸化剤極３から脱離するので、酸化剤極３の触媒作用が活性化され、不純物による影響を軽減することができる。
【００７８】
また、本発明の実施の形態１の燃料電池５の両端には燃料電池５の電圧を検出する電圧検出手段１１を接続し、燃料電池５の発電中の電圧をモニタできるようにした。
【００７９】
もし、酸化剤ガス中に不純物が存在すれば、不純物が酸化剤極３の触媒に付着して発電に必要な化学反応を阻害するので、燃料電池５の電圧は低下する。酸化剤ガス中の不純物が少なければ燃料電池５の電圧は安定しているので、電圧をモニタすることにより、燃料電池５の不純物に対する影響度を知ることができる。
【００８０】
本発明では、電圧検出手段１１で発電中の燃料電池５の電圧が予め設定した閾値よりも一定期間小さい時は酸化剤極３に不純物が付着して触媒の活性が低下していると判定し、酸化剤極３上の酸化剤ガス入口側領域３１（触媒活性低下領域）の電位を高電位にして酸化剤ガス入口側領域３１（触媒活性低下領域）の触媒作用を活性化することができる構成とした。
【００８１】
一般に、酸化剤極３の触媒層中に含まれるカーボンは高電位では腐食や酸化を起こし、劣化しやすくなるが、本発明の実施の形態１の燃料電池発電システムの構成によれば、酸化剤極３の触媒層に酸化や腐食に強い耐酸化性のカーボンを使用しているだけでなく、さらに、電圧検出手段１１が不純物に対する影響が大きいと判断したときだけ酸化剤極３の電位を上げる操作をするので、酸化剤極３の電位を高電位にする回数を必要最小限に留めることができ、酸化剤極３に含まれるカーボンの酸化を極力抑制することができる。
【００８２】
次に、本発明の実施の形態１の燃料電池発電システムの運転方法について図３を用いて説明する。
【００８３】
図３は、燃料電池５の触媒作用を活性化するときのフローチャートを示す。まず、燃料電池５が発電しており、電圧検出手段１１が予め設定した電圧の閾値Ｖ１に対して検出する電圧Ｖが大きいか小さいかを判定する（Ｓ１０１）。
【００８４】
電圧検出手段１１が発電中の電圧Ｖが閾値Ｖ１よりも小さいと判定した場合、酸化剤極３の触媒層に不純物が付着して触媒の活性が低下していると判断し、一旦発電を中止して再起動、あるいはそのまま発電は継続するが、次回システムあるいはユーザー側から発電停止および再起動を求められたときに酸化剤極３の電位を上げて触媒作用を活性化する操作を開始する命令信号を出力する（Ｓ１０２）。
【００８５】
次に、発電を停止するため、燃料ガスおよび酸化剤ガスの内、少なくとも酸化剤ガスの供給を停止し、酸化剤極３の電極電位を発電中の電位以下（好ましくは単セル電位が０．２Ｖ以下）まで低下させる（Ｓ１０３）。
【００８６】
ここで酸化剤ガスの供給停止と同時（あるいは一定時間経過後）に燃料ガスの供給を停止しても、燃料極２に残留する水素により、同様にして酸化剤極３の電極電位を低下させることができる。
【００８７】
また、酸化剤極３の電極電位をより速やかに低下させるために電極反応に不活性なガス（窒素あるいは都市ガスなど）を酸化剤極３に供給して、残留する酸化剤ガスを不活性なガスに置換してもよい。
【００８８】
酸化剤極３の電極電位を低下させることにより、燃料極２および酸化剤極３の電極電位がともに低電位となり、それぞれの触媒層の酸化劣化を抑制することができるので、燃料電池５の耐久性を向上させることができる。
【００８９】
また、停止と同時に燃料電池５の電池温度が低下すると、加湿されていた燃料ガスおよび酸化剤ガスに含まれる水蒸気が凝縮し、燃料電池５の内圧が低下し、負圧になり、外部から燃料極２および酸化剤極３の触媒層を劣化させる空気などが侵入してしまうので、停止時に内部圧力に応じて電極反応に不活性なガスなどを注入して燃料電池５の内部が負圧にならないように保持することによりさらに耐久性を向上させることができる。
【００９０】
次に、触媒作用を活性化して再起動するため、燃料極２の入口側から酸素供給手段であるエアブリード手段１０により、燃料極２に酸素（または空気）を供給する（Ｓ１０４）。
【００９１】
さらに、ステップＳ１０４に引き続き、すぐに燃料極２の入口側から燃料ガス（水素）、酸化剤極３の入口側から酸化剤ガス（酸素または空気）を供給する（Ｓ１０５）。この瞬間に燃料極２の燃料ガス出口側領域２２（対向領域）には酸素、燃料ガス入口側領域２１（対向領域から離れて位置する領域）には水素が存在する。
【００９２】
一方、酸化剤極３には酸素が存在しているので、酸化剤極３の上流（触媒活性低下領域）３１は高電位となり、付着していた不純物が酸化され除去することができる。そして、触媒作用の活性化を終了し、負荷を接続して燃料電池５の発電を再開する（Ｓ１０６）。
【００９３】
上記シーケンスにより触媒作用の活性化を行った燃料電池５の発電中の電圧変化を調べたところ、活性化をして不純物を除去した後の電池電圧が上昇し、発電効率が上がることが判った。
【００９４】
したがって、本発明の実施の形態１の燃料電池発電システムおよびその運転方法により、燃料電池を活性化することができるので、発電効率および耐久性に優れた燃料電池発電システムおよびその運転方法を提供することができる。
（実施の形態２）
本発明の実施の形態２の燃料電池発電システムは、図１に示すように、燃料極２に電気化学的に不活性なガスを供給する不活性ガス供給手段１２を備え、燃料極２の入口側から不活性ガス供給手段１２で不活性なガスを供給した後、燃料極２の入口側から酸素供給手段であるエアブリード手段１０で少なくとも酸素を含むガスを供給して、次いで燃料極２の入口側から燃料ガスを供給する点以外は、実施の形態１の燃料電池発電システムと同様の構成であり、実施の形態１と異なる点について詳細を説明する。
【００９５】
不活性ガス供給手段１２は、燃料極２の入口から、窒素や都市ガスなど、使用する環境において燃料電池５に対して電気化学的に不活性なガスを供給する。定置用の燃料電池発電システムの場合、燃料ガスを生成するために都市ガスなどの原料を使用するので脱硫した都市ガスを不活性なガスとして用いれば、ボンベなどの搭載が不要、システムが簡素化されるなどの利点がある。
【００９６】
実施の形態２の構成によれば、酸素を含むガスを供給する前に燃料極２に存在する水素を不活性なガスで置換してから、燃料極２に酸素を供給するので、酸素を含むガスが供給されるときに水素と酸素が直接接触せず、燃料極２の電位の上昇を抑えることができ、燃料極２の触媒の溶解やカーボンの酸化などの劣化を抑制することができる。
【００９７】
本発明の実施の形態２の燃料電池発電システムの運転方法について図４のフローチャートを用いて説明する。
【００９８】
まず、燃料電池５が発電しており、電圧検出手段１１が予め設定した電圧の閾値Ｖ１に対して検出する電圧Ｖが大きいか小さいかを判定する（Ｓ２０１）。
【００９９】
電圧検出手段１１が発電中の電圧Ｖが閾値Ｖ１よりも小さいと判定した場合、酸化剤極３の触媒層に不純物が付着して触媒の活性が低下していると判断し、一旦発電を中止して再起動、あるいはそのまま発電は継続するが、次回システムあるいはユーザー側から発電停止および再起動を求められたときに酸化剤極３の電位を上げて触媒作用を活性化する操作をする命令信号を出力する（Ｓ２０２）。
【０１００】
次に、発電を停止するため、燃料ガスおよび酸化剤ガスの内、少なくとも酸化剤ガスの供給を停止し、酸化剤極３の電極電位を発電中の電位以下（好ましくは単セル電位が０．２Ｖ以下）まで低下させる（Ｓ２０３）。
【０１０１】
次に、燃料処理装置８の脱硫部８１で脱硫した都市ガスを分岐した不活性ガス供給手段１２で燃料極２の入口側から不活性なガスとして都市ガスを供給して、燃料極２に残留する可能性のある水素を一旦都市ガスに置換する（Ｓ２０４）。
【０１０２】
発電を停止するステップＳ２０３と発電を再開するステップＳ２０４の間の時間が短い場合、燃料極２には水素が残留する可能性が高い。ステップＳ２０４により、燃料極２には水素がなくなるので次のステップＳ２０５で酸素を投入しても水素と酸素が直接接触しない。したがって、燃料極２上で起こる水素と酸素の燃焼反応を抑制することができ、燃料極２の触媒の溶解やカーボンの酸化などの劣化を抑制することができる。
【０１０３】
また、ステップＳ２０３の水素が残留した場合、ステップＳ２０４で水素を不活性なガスで置換しないと、次のステップＳ２０５で燃料極２に酸素が供給された瞬間、酸化剤極３の酸化剤ガス入口側領域３１（触媒活性低下領域）に対向する燃料極２の下流の燃料ガス出口側領域２２（対向領域）に水素、燃料極２の上流の対向領域から離れて位置する燃料ガス入口側領域２１に酸素が配置され、対向領域から離れて位置する燃料ガス入口側領域２１に対向する不純物の影響をあまり受けていない酸化剤極３の酸化剤ガス出口側領域３２の電位が高電位に曝されるが、本発明の実施の形態２の運転方法によれば、酸化剤極３の酸化剤ガス出口側領域３２の電位を低く保持することができるので、酸化剤極３の耐久性の向上を図ることができる。
【０１０４】
次に、触媒作用を活性化して再起動するため、燃料極２の入口側から酸素供給手段であるエアブリード手段１０により、燃料極２に酸素（または空気）を供給する（Ｓ２０５）。
【０１０５】
さらに、ステップ２０５に引き続き、すぐに燃料極２の入口側から燃料ガス（水素）、酸化剤極３の入口側から酸化剤ガス（酸素または空気）を供給する（Ｓ２０６）。
【０１０６】
この瞬間に燃料極２の燃料ガス出口側領域２２（対向領域）には酸素、燃料ガス入口側領域２１（対向領域から離れて位置する領域）には水素が存在する。一方、酸化剤極３には酸素が存在しているので、酸化剤極３の酸化剤ガス入口側領域３１（触媒活性低下領域）は高電位となり、付着していた不純物が酸化され除去することができる。
【０１０７】
そして、触媒作用の活性化を終了し、負荷を接続して燃料電池５の発電を再開する（Ｓ２０７）。
【０１０８】
上記シーケンスにより触媒作用の活性化を行った燃料電池５の発電中の電圧変化を調べたところ、実施の形態１と同様に、活性化をして不純物を除去した後の電池電圧が上昇し、発電効率が上がることが判った。
【０１０９】
したがって、本発明の実施の形態２の燃料電池発電システムおよびその運転方法により、燃料電池を活性化することができるので、発電効率および耐久性に優れた燃料電池発電システムおよびその運転方法を提供することができる。
（実施の形態３）
本発明の実施の形態３の燃料電池発電システムは、図５に示すように、燃料極２の燃料ガス出口側領域２２から酸素供給手段であるエアブリード手段１０で少なくとも酸素を含むガスを供給した後、燃料極２の燃料ガス入口側領域２１から燃料ガスを供給してエアブリード手段１０で供給した酸素を燃料極２の燃料ガス出口側領域２２から排出する点以外は、実施の形態１の燃料電池発電システムと同様の構成であり、本実施の形態１と異なる点について詳細を説明する。
【０１１０】
本発明の実施の形態３の酸素供給手段は、発電中、燃料極２に空気を供給するエアブリード手段１０を分岐して、停止時に燃料極２の燃料ガス出口側領域２２から空気を供給できる構成とした。
【０１１１】
上記構成によれば、燃料極２に酸素を含むガスを供給するときに酸化剤極３の酸化剤ガスを排出する酸化剤ガス出口側領域３２の電位の上昇を抑えることができ、酸化剤極３の酸化剤ガス出口側領域３２のカーボンの酸化を防止することができる。
（実施の形態４）
本発明の実施の形態４の燃料電池発電システムは、図６に示すように、酸化剤極３の酸化剤ガスを導入する酸化剤ガス入口側領域３１に燃料極２の燃料ガスを供給する燃料ガス入口側領域２１を対向して位置するようにそれぞれの流路を配置する燃料電池において、燃料極２の燃料ガス出口側領域２２から燃料ガス入口側領域２１にガスを供給できる入口出口切替弁１３１〜１３３を備えた点以外は、実施の形態１と同様の構成であり、実施の形態１と異なる点について詳細を説明する。
【０１１２】
本発明の実施の形態４の燃料電池５の燃料極２および酸化剤極３のセパレータ７１および７２にはそれぞれ燃料ガスおよび酸化剤ガスを供給する流路が形成されているが、フラッディングなどの発電特性を最適化するため発電中のガスの流れ方向を、酸化剤極３の酸化剤ガス入口側領域３１と燃料極２の燃料ガス入口側領域２１を対向するように配置した。
【０１１３】
さらに、酸化剤極３の触媒活性低下領域である酸化剤ガス入口側領域３１の触媒を活性化するために燃料極２の流れ方向を切り替える入口出口切替弁１３１〜１３３を設け、燃料極２の燃料ガス入口側領域２１を触媒活性低下領域である酸化剤ガス入口側領域３１に対向した対向領域に、燃料極２の燃料ガス出口側領域２２を対向領域から離れて位置する領域にして、酸素および水素を燃料ガス出口側領域２２から供給できる構成とした。
【０１１４】
図７にセパレータ板７１，７２に形成した燃料ガスおよび酸化剤ガスの概略流路構成図および通常発電時（図７（ａ））と活性化処理時（図７（ｂ））の入口出口切替弁１３１〜１３３の切替方向および燃料極２におけるガスの流れを示す。
【０１１５】
実線は燃料極２側のガスを流す径路を示し、破線はガスの流れていない径路を示す。また、点線は対向する酸化剤極３側の酸化剤ガスを流す径路を示している。図７に示すように、酸化剤ガスを導入する酸化剤極３の酸化剤ガス入口側領域３１に燃料ガスを導入する燃料極２の燃料ガス入口側領域２１が対向して位置するように配置した。
【０１１６】
上記構成によれば、酸化剤極３上の酸化剤ガス入口側領域３１（触媒活性低下領域）の触媒作用を活性化するときだけ、入口出口切替弁１３１〜１３３を切り替え、燃料極２の燃料ガス出口側領域２２からエアブリード手段１０で少なくとも酸素を含むガスを供給した後、燃料極２の燃料ガス出口側領域２２から燃料ガスを供給することにより、酸化剤極３が酸化剤ガスに含まれる不純物による影響を受けていない間は、発電性能に適したガス流路（図７（ａ））に燃料ガスおよび酸化剤ガスをそれぞれ供給することができ、発電性能に優れた燃料電池発電システムを得ることができる。
【０１１７】
次に、本発明の実施の形態４の燃料電池発電システムの運転方法について図８のフローチャートを用いて説明する。
【０１１８】
まず、燃料電池５が発電しており、電圧検出手段１１が予め設定した電圧の閾値Ｖ１に対して検出する電圧Ｖが大きいか小さいかを判定する（Ｓ３０１）。
【０１１９】
電圧検出手段１１が発電中の電圧Ｖが閾値Ｖ１よりも小さいと判定した場合、酸化剤極３の触媒層に不純物が付着して触媒の活性が低下していると判断し、一旦発電を中止して再起動、あるいはそのまま発電は継続するが、次回システムあるいはユーザー側から発電停止および再起動を求められたときに酸化剤極３の電位を上げて触媒作用を活性化する操作をする命令信号を出力する（Ｓ３０２）。
【０１２０】
次に、発電を停止するため、燃料ガスおよび酸化剤ガスの内、少なくとも酸化剤ガスの供給を停止し、酸化剤極３の電極電位を発電中の電位以下（好ましくは単セル電位が０．２Ｖ以下）まで低下させる（Ｓ３０３）。
【０１２１】
次に、触媒作用を活性化して再起動するため、入口出口切替弁１３１〜１３３を切り替えて、燃料極２の出口から酸素および水素が供給できるようにする（Ｓ３０４）。
【０１２２】
そして、燃料極２の出口側から酸素供給手段であるエアブリード手段１０により、酸素（または空気）を供給する（Ｓ３０５）。さらに、ステップ３０５に引き続き、すぐに燃料極２の出口側から燃料ガス（水素）、酸化剤極３の入口側から酸化剤ガス（酸素または空気）を供給する（Ｓ３０６）。
【０１２３】
この瞬間に燃料極２の燃料ガス出口側領域２２（対向領域）には酸素、燃料ガス入口側領域２１（対向領域から離れて位置する領域）には水素が存在する。一方、酸化剤極３には酸素が存在しているので、酸化剤極３の酸化剤ガス入口側領域３１（触媒活性低下領域）は高電位となり、付着していた不純物が酸化され除去することができる。そして、触媒作用の活性化を終了し、負荷を接続して燃料電池５の発電を再開する（Ｓ３０７）。
【０１２４】
上記シーケンスにより触媒作用の活性化を行った燃料電池５の発電中の電圧変化を調べたところ、実施の形態１と同様に活性化をして不純物を除去した後の電池電圧が上昇し、発電効率が上がることが判った。
【０１２５】
したがって、本実施の形態４の燃料電池発電システムおよびその運転方法により、燃料電池を活性化することができるので、発電効率および耐久性に優れた燃料電池発電システムおよびその運転方法を提供することができる。
（実施の形態５）
本発明の実施の形態５の燃料電池発電システムは、図６に示すように、酸化剤極３の酸化剤ガスを導入する酸化剤ガス入口側領域３１に燃料極２の燃料ガスを供給する燃料ガス入口側領域２１を対向して位置するようにそれぞれの流路を配置する燃料電池において、燃料極２に電気化学的に不活性なガスを供給する不活性ガス供給手段１２を備え、入口出口切替弁１３１〜１３３を切り替えて、燃料極２の燃料ガス入口側領域２１から不活性ガス供給手段１２で不活性なガスを供給した後、燃料極２の燃料ガス入口側領域２１から酸素供給手段であるエアブリード手段１０で少なくとも酸素を含むガスを供給して、次いで燃料極２の燃料ガス入口側領域２１から燃料ガスを供給する点以外は、実施の形態４の燃料電池発電システムと同様の構成であり、実施の形態４と異なる点について詳細を説明する。
【０１２６】
不活性ガス供給手段１２は、燃料極２の出口から、窒素や都市ガスなど、使用する環境において燃料電池５に対して電気化学的に不活性なガスを供給する。定置用の燃料電池発電システムの場合、燃料ガスを生成するために都市ガスなどの原料を使用するので脱硫した都市ガスを不活性なガスとして用いれば、ボンベなどの搭載が不要、システムが簡素化されるなどの利点がある。
【０１２７】
本実施の形態５の構成によれば、酸素を含むガスを供給する前に燃料極２に存在する水素を不活性なガスで置換してから、燃料極２に酸素を供給するので、酸素を含むガスが供給されるときに水素と酸素が直接接触せず、燃料極２の電位の上昇を抑えることができ、燃料極２の触媒の溶解やカーボンの酸化などの劣化を抑制することができる。
【０１２８】
次に、本発明の実施の形態５の燃料電池発電システムの運転方法について図９のフローチャートを用いて説明する。
【０１２９】
まず、燃料電池５が発電しており、電圧検出手段１１が予め設定した電圧の閾値Ｖ１に対して検出する電圧Ｖが大きいか小さいかを判定する（Ｓ４０１）。
【０１３０】
電圧検出手段１１が発電中の電圧Ｖが閾値Ｖ１よりも小さいと判定した場合、酸化剤極３の触媒層に不純物が付着して触媒の活性が低下していると判断し、一旦発電を中止して再起動、あるいはそのまま発電は継続するが、次回システムあるいはユーザー側から発電停止および再起動を求められたときに酸化剤極３の電位を上げて触媒作用を活性化する操作をする命令信号を出力する（Ｓ４０２）。
【０１３１】
次に、発電を停止するため、燃料ガスおよび酸化剤ガスの内、少なくとも酸化剤ガスの供給を停止し、酸化剤極３の電極電位を発電中の電位以下（好ましくは単セル電位が０．２Ｖ以下）まで低下させる（Ｓ４０３）。
【０１３２】
次に、触媒作用を活性化して再起動するため、入口出口切替弁１３１〜１３３を切り替えて、燃料極２の出口から酸素および水素が供給できるようにする（Ｓ４０４）。
【０１３３】
そして、燃料極２の出口から不活性ガス供給手段１２で燃料極２に電気化学的に不活性な都市ガスを供給する（Ｓ４０５）。
【０１３４】
さらに、燃料極２の出口側から酸素供給手段であるエアブリード手段１０により、酸素（または空気）を供給する（Ｓ４０６）。
【０１３５】
さらに、ステップ４０６に引き続き、すぐに燃料極２の出口側２２から燃料ガス（水素）、酸化剤極３の酸化剤ガス入口側領域３１から酸化剤ガス（酸素または空気）を供給する（Ｓ４０７）。
【０１３６】
この瞬間に燃料極２の燃料ガス出口側領域２２（対向領域）には酸素、燃料ガス入口側領域２１（対向領域から離れて位置する領域）には水素が存在する。一方、酸化剤極３には酸素が存在しているので、酸化剤極３の酸化剤ガス入口側領域３１（触媒活性低下領域）は高電位となり、付着していた不純物が酸化され除去することができる。
【０１３７】
そして、触媒作用の活性化を終了し、負荷を接続して燃料電池５の発電を再開する（Ｓ４０８）。
【０１３８】
上記シーケンスにより触媒作用の活性化を行った燃料電池５の発電中の電圧変化を調べたところ、実施の形態１と同様に活性化をして不純物を除去した後の電池電圧が上昇し、発電効率が上がることが判った。
【０１３９】
したがって、本発明の実施の形態５の燃料電池発電システムおよびその運転方法により、燃料電池を活性化することができるので、発電効率および耐久性に優れた燃料電池発電システムおよびその運転方法を提供することができる。
（実施の形態６）
本発明の実施の形態６の燃料電池発電システムは、図６に示すように、酸化剤極３の酸化剤ガスを導入する酸化剤ガス入口側領域３１に燃料極２の燃料ガスを供給する燃料ガス入口側領域２１を対向して位置するようにそれぞれの流路を配置する燃料電池において、燃料極の燃料ガス入口側領域２１から酸素供給手段で少なくとも酸素を含むガスを供給した後、入口出口切替弁１３１〜１３３を切り替え、燃料極２の燃料ガス出口側領域２２から燃料ガスを供給して酸素供給手段のエアブリード手段１０で供給した酸素を燃料極２の燃料ガス入口側領域２１から排出する点以外は、本実施の形態５と同様の構成である。
【０１４０】
本実施の形態６の構成によれば、酸素供給手段１０で燃料極２の燃料ガス入口側領域２１（対向領域）に供給される酸素が酸化剤極３の酸化剤ガス出口側領域３２に対向して位置する燃料極２の燃料ガス出口側領域２２（対向領域から離れて位置する領域）を通過しないので、酸化剤ガス出口側領域３２の電位の上昇を抑えることができ、酸化剤極３の酸化剤ガス出口側領域３２のカーボンの酸化を防止することができる。
（実施の形態７）
本発明の実施の形態７の燃料電池発電システムは、図１０に示すように、酸化剤ガス中に含まれる不純物の濃度を検出する不純物検出手段１４を備え、不純物検出手段１４で酸化剤ガス中に含まれる不純物の濃度が予め設定した閾値よりも一定期間大きいと判定した時だけ、酸化剤極３上の酸化剤ガス入口側領域３１（触媒活性低下領域）の電位を高電位にして活性化する点以外は、本実施の形態１と同様の構成であり、本実施の形態１と異なる点について詳細を説明する。
【０１４１】
不純物検出手段１４は、酸化剤ガスの径路に配置され、酸化剤ガス中の不純物を除去する不純物除去手段９２と酸化剤ガスを加湿する加湿器９３の間に設けた。不純物検出手段１４は、酸化剤ガス中の二酸化硫黄などの不純物に感応するセンサ部と、センサ部からの信号電圧から不純物の濃度を換算し、酸化剤ガスの供給量（＝ブロワ流量×供給時間）と不純物の濃度から燃料電池５に蓄積する不純物の蓄積量を計算して、予め設定する燃料電池５に影響を与える量に相当する不純物の量の閾値と計算した不純物の蓄積量を比較する演算部で構成される。
【０１４２】
次に、本実施の形態７の燃料電池発電システムの運転方法について図１１のフローチャートを用いて説明する。
【０１４３】
まず、燃料電池５が発電しており、予め設定した不純物の供給量の閾値Ｃ１に対して不純物検出手段１４により演算した供給量Ｃが大きいか小さいかを判定する（Ｓ５０１）。
【０１４４】
不純物検出手段１４が演算した不純物の供給量Ｃが閾値Ｃ１よりも大きいと判定した場合、酸化剤極３の触媒層に不純物が付着して触媒の活性が低下していると判断し、一旦発電を中止して再起動、あるいはそのまま発電は継続するが、次回システムあるいはユーザー側から発電停止および再起動を求められたときに酸化剤極３の電位を上げて触媒作用を活性化する操作をする命令信号を出力する（Ｓ５０２）。
【０１４５】
次に、発電を停止するため、燃料ガスおよび酸化剤ガスの内、少なくとも酸化剤ガスの供給を停止し、酸化剤極３の電極電位を発電中の電位以下（好ましくは単セル電位が０．２Ｖ以下）まで低下させる（Ｓ５０３）。
【０１４６】
次に、触媒作用を活性化して再起動するため、燃料極２の入口側から酸素供給手段であるエアブリード手段１０により、燃料極２に酸素（または空気）を供給する（Ｓ５０４）。
【０１４７】
さらに、ステップ５０４に引き続き、すぐに燃料極２の入口側から燃料ガス（水素）、酸化剤極３の入口側から酸化剤ガス（酸素または空気）を供給する（Ｓ５０５）。
【０１４８】
この瞬間に燃料極２の燃料ガス出口側領域２２（対向領域）には酸素、燃料ガス入口側領域２１（対向領域から離れて位置する領域）には水素が存在する。一方、酸化剤極３には酸素が存在しているので、酸化剤極３の酸化剤ガス入口側領域３１（触媒活性低下領域）は高電位となり、付着していた不純物が酸化され除去することができる。
【０１４９】
そして、触媒作用の活性化を終了し、負荷を接続して燃料電池５の発電を再開する（Ｓ５０６）。
【０１５０】
上記シーケンスにより触媒作用の活性化を行った燃料電池５の発電中の電圧変化を調べたところ、実施の形態１と同様に活性化をして不純物を除去した後の電池電圧が上昇し、発電効率が上がることが判った。
【０１５１】
したがって、本発明の実施の形態７の燃料電池発電システムおよびその運転方法により、燃料電池を活性化することができるので、発電効率および耐久性に優れた燃料電池発電システムおよびその運転方法を提供することができる。
（実施の形態８）
本発明の実施の形態８の燃料電池発電システムは、図１２に示すように、触媒作用を活性化するときに使用する酸素供給手段を、燃料ガスを生成する過程において発生する一酸化炭素を選択的に酸化するために燃料処理装置８に空気を供給する選択酸化空気供給手段８５を用いる点以外は、実施の形態１と同様の構成であり、実施の形態１と異なる点について詳細を説明する。
【０１５２】
上記構成によれば、触媒作用を活性化させるために新たに、ブロワやポンプなどの供給装置、配管およびフィルターなどを設ける必要がなく、燃料ガス生成中に使用する選択酸化空気供給手段８５をそのまま利用することができ、システムが簡素化され、低コスト化を図ることができる。
【産業上の利用可能性】
【０１５３】
本発明の燃料電池発電システムおよびその運転方法は、酸化剤極上の触媒活性低下領域の電位を高電位にすることによる燃料電池の活性化を実現し、発電効率と耐久性の向上という効果を有し、高分子型固体電解質膜を用いた燃料電池、燃料電池デバイス、定置用燃料電池コジェネレーションシステムに有用である。
【図面の簡単な説明】
【０１５４】
【図１】本発明の実施の形態１および２における燃料電池発電システムの概略構成図
【図２】同燃料電池発電システムの各ガス流路の概略構成図
【図３】本発明の実施の形態１における燃料電池発電システムの運転方法を示すフローチャート
【図４】本発明の実施の形態２における燃料電池発電システムの運転方法を示すフローチャート
【図５】本発明の実施の形態３における燃料電池発電システムの概略構成図
【図６】本発明の実施の形態４〜６における燃料電池発電システムの概略構成図
【図７】（ａ）同燃料電池発電システムの通常発電時における各ガス流路を示す概略構成図（ｂ）同燃料電池発電システムの活性化処理時における各ガス流路を示す概略構成図
【図８】本発明の実施の形態４における燃料電池発電システムの運転方法を示すフローチャート
【図９】本発明の実施の形態５における燃料電池発電システムの運転方法を示すフローチャート
【図１０】本発明の実施の形態７における燃料電池発電システムの概略構成図
【図１１】同燃料電池発電システムの運転方法を示すフローチャート
【図１２】本発明の実施の形態８における燃料電池発電システムの概略構成図
【図１３】従来の燃料電池発電システムの概略構成図
【符号の説明】
【０１５５】
１    電解質膜
２    燃料極
３    酸化剤極
４    膜電極接合体
５    燃料電池
８    燃料処理装置
９    酸化剤ガス供給手段
１０    エアブリード手段
１１    電圧検出手段
１２    不活性ガス供給手段
１４    不純物検出手段
２１    燃料ガス入口側領域
２２    燃料ガス出口側領域
３１    酸化剤ガス入口側領域
３２    酸化剤ガス出口側領域
７１，７２    セパレータ板
８１    脱硫部
８２    改質部
８３    ＣＯ変成部
８４    ＣＯ除去部
８５    選択酸化空気供給手段
９１    ブロワ
９２    不純物除去手段
９３    加湿器
１３１〜１３３    入口出口切替弁
【図１】
0005071254.tif 000009
【図２】
0005071254.tif 000010
【図３】
0005071254.tif 000011
【図４】
0005071254.tif 000012
【図５】
0005071254.tif 000013
【図６】
0005071254.tif 000014
【図７】
0005071254.tif 000015
【図８】
0005071254.tif 000016
【図９】
0005071254.tif 000017
【図１０】
0005071254.tif 000018
【図１１】
0005071254.tif 000019
【図１２】
0005071254.tif 000020
【図１３】
0005071254.tif 000021